(57)【特許請求の範囲】
【請求項１】
刈り取られた穀稈を脱穀し、脱穀した処理物を穀粒と藁屑とに選別する脱穀選別部と、前記脱穀選別部によって穀粒と藁屑とに選別できなかった処理物を前記脱穀選別部に還元する還元搬送部と、を備えるコンバインにおいて、
前記還元搬送部は、前記脱穀選別部から搬送された処理物を上方に搬送する上方搬送部と、
処理物を前方に搬送して前記脱穀選別部に還元する前方搬送部と、
前記上方搬送部から搬送された処理物を前記前方搬送部に案内する連通部と、を有し、
前記連通部は、前記上方搬送部と前記前方搬送部との間に着脱自在に配置され、前記上方搬送部の清掃の際、前記連通部を外すことによって、清掃の際に前記上方搬送部からあふれる処理物を前記上方搬送部と前記前方搬送部との間の空間に排出してなり、
前記上方搬送部の上方の少なくとも一部を覆いかつ開放自在な第１の上方カバー部分を有し、
前記連通部は、前記上方搬送部から搬送された処理物を前記前方搬送部に案内するガイド部と、前記ガイド部の上方の少なくとも一部を覆う第３の上方カバー部分と、を有し、
前記第１の上方カバー部分と前記第３の上方カバー部分とが一体に構成された、
ことを特徴とするコンバイン。
【請求項２】
前記前方搬送部の上方の少なくとも一部を覆いかつ開放自在な第２の上方カバー部分を有する、
請求項１に記載のコンバイン。
【請求項３】
前記還元搬送部は、前記還元搬送部における処理物の詰りを検出する検出手段を有し、
前記検出手段は、前記連通部に固定される、
請求項１又は２に記載のコンバイン。
【発明の詳細な説明】
【技術分野】
【０００１】
本発明は、刈り取られた穀稈を脱穀するコンバインに係り、詳しくは脱穀された処理物を穀粒と藁屑とに選別する脱穀選別部と、脱穀選別部によって選別されなかった処理物を脱穀選別部に還元する還元搬送部と、を備えるコンバインに関する。
【背景技術】
【０００２】
一般に、穀粒を貯留するグレンタンクと、藁屑を機外に排出する排藁処理部と、を備えるコンバインが知られている。また、脱穀選別部において選別された穀粒及び藁屑をそれぞれグレンタンク及び排藁処理部に搬送し、脱穀選別部において選別されず、穀粒、藁屑及び穀稈が混在する処理物を脱穀選別部の扱室に還元し、再度脱穀する自脱型コンバインが提案されている（特許文献１参照）。
【０００３】
特許文献１に記載の自脱型コンバインには、選別できなかった処理物を扱室に搬送する還元搬送部として、脱穀選別部の下部に堆積した処理物を上方に搬送する２番揚穀コンベア及び２番揚穀コンベアを覆う２番揚穀コンベアケースと、２番揚穀コンベアケースに連結され、２番揚穀コンベアによって上方に搬送された処理物を下方に配置された２番還元コンベアケースに案内する接続シュートと、接続シュートから搬送された処理物を前方に搬送するスクリュー及びスクリューを覆う２番還元コンベアケースと、を有する。スクリューによって搬送された処理物は、２番還元コンベアケースの前部に設けられた開口部から扱室の前部に落とされ、再度脱穀される。
【０００４】
還元搬送部の内部は、処理物が通るために処理物で詰まる虞がある。２番還元コンベアケース内で詰りが発生した場合、作業者は、２番還元コンベアケースの側面に設けられたカバーを外すことによって、２番還元コンベアケースの内部に連通する開口部が外部に現れ、開口部から２番還元コンベアケースの内部の詰りを除去することができる。
【先行技術文献】
【特許文献】
【０００５】
【特許文献１】特許第４００９１３４号公報
【発明の概要】
【発明が解決しようとする課題】
【０００６】
しかしながら、上記特許文献１に記載の接続シュート及び２番揚穀コンベアケースには、処理物が通る内部に連通する開口部が設けられていない。このため、作業者は、接続シュート及び２番揚穀コンベアケースの内部において詰りが発生した際の詰りの除去や清掃を行いにくく、清掃後も穀粒が残る虞がある。異なる穀物の刈取作業を行う前に、作業者は、還元搬送部を清掃するが、清掃前に脱穀選別した穀物の穀粒が清掃後も残ってしまい、清掃後に脱穀選別した穀物の穀粒の中に異なる穀物の穀粒が含まれてしまう虞がある。
【０００７】
そこで、本発明は、還元搬送部内の清掃の作業性を向上させて、上述した課題を解決するコンバインを提供することを目的とする。
【課題を解決するための手段】
【０００８】
本発明は、刈り取られた穀稈を脱穀し、脱穀した処理物を穀粒と藁屑とに選別する脱穀選別部（９）と、前記脱穀選別部（９）によって穀粒と藁屑とに選別できなかった処理物を前記脱穀選別部（９）に還元する還元搬送部（３６）と、を備えるコンバイン（１）において、
前記還元搬送部（３６）は、前記脱穀選別部（９）から搬送された処理物を上方に搬送する上方搬送部（３７）と、
処理物を前方に搬送して前記脱穀選別部（９）に還元する前方搬送部（４０）と、
前記上方搬送部（３７）から搬送された処理物を前記前方搬送部（４０）に案内する連通部（３９）と、を有し、
前記連通部（３９）は、前記上方搬送部（３７）と前記前方搬送部（４０）との間に着脱自在に配置され、前記上方搬送部（３７）の清掃の際、前記連通部（３９）を外すことによって、清掃の際に前記上方搬送部（３７）からあふれる処理物を前記上方搬送部（３７）と前記前方搬送部（４０）との間の空間に排出する、
ことを特徴とする。
【０００９】
例えば、図９及び図１０を参照して、前記上方搬送部（３７）の上方の少なくとも一部を覆いかつ開放自在な第１の上方カバー部分（６１Ｂ）を有する。
【００１０】
例えば、図９及び図１０を参照して、前記前方搬送部（４０）の上方の少なくとも一部を覆いかつ開放自在な第２の上方カバー部分（５０）を有する。
【００１１】
例えば、図９及び図１０を参照して、前記連通部（３９）は、前記上方搬送部（３７）から搬送された処理物を前記前方搬送部（４０）に案内するガイド部（５７）と、前記ガイド部（５７）の上方の少なくとも一部を覆う第３の上方カバー部分（６１Ａ）と、を有し、
前記第１の上方カバー部分（６１Ｂ）と前記第３の上方カバー部分（６１Ａ）とが一体に構成される。
【００１２】
例えば図９を参照して、前記還元搬送部（３６）は、前記還元搬送部（３６）における処理物の詰りを検出する検出手段（６９）を有し、
前記検出手段（６９）は、前記連通部（３９）に固定される。
【００１３】
なお、上述カッコ内の符号は、図面と対照するためのものであるが、これにより特許請求の範囲に記載の構成に何等影響を及ぼすものではない。
【発明の効果】
【００１４】
請求項１に係る本発明によると、異なる圃場で作業する際、作業者は、上方搬送部に水を供給して上方搬送部を清掃するが、連通部が外されている場合、上方搬送部に詰まっている又は溜まっている処理物は、上方搬送部の上部から清掃水と共に溢流し、上方搬送部と前記前方搬送部との間の空間に排出される。例えば、前方搬送部が汚れておらず、上方搬送部のみ清掃したい場合、作業者は、連通部が上方搬送部及び前方搬送部に接続された状態で清掃を行うと、上方搬送部の処理物を前方搬送部に流してしまい、前方搬送部も清掃する必要を生じさせてしまう虞がある。しかし、連通部が外されることによって前方搬送部に流れ込むことが防がれるため、前方搬送部が上方搬送部の清掃によって汚れる虞がなくなり、清掃の作業性が向上され、清掃時間が短縮される。これによって、新たなコンバイン作業をする際、還元搬送部の内部に前で処理した処理物等が清掃後に残る虞が低減され、選別された穀粒の中に他の穀物の穀粒が含まれる虞が低減される。
【００１５】
請求項２に係る本発明によると、第１の上方カバー部分は、外されることによって、上方搬送部の上方の少なくとも一部が開口するように構成されている。作業者は、第１の上方カバー部分を外した箇所から水を注ぎ、水を上方搬送部の上部から流してまとめて清掃することができる。これによって、清掃の作業性が向上されると共に、清掃時間が短縮される。
【００１６】
請求項２に係る本発明によると、第１の上方カバー部分及び第２の上方カバー部分は、外されることによって、上方搬送部の上部及び前方搬送部それぞれの少なくとも一部が開口するように構成されている。作業者は、連通部を外し、さらに第１の上方カバー部分及び第２の上方カバー部分を外すことによって、第１の上方カバー部分及び第２の上方カバー部分を外した箇所から水を注ぐことができ、上方搬送部及び前方搬送部をそれぞれ容易に清掃することができる。
【００１７】
請求項１に係る本発明によると、第１の上方カバー部分と第３の上方カバー部分とが一体に構成されているため、作業者は、上方搬送部を清掃する際に、連通部を外すことによって、第１の上方カバー部分も外すことができるので、清掃の準備に要する時間を短縮することができる。
【００１８】
請求項３に係る本発明によると、検出手段が連通部に固定されるため、作業者は、清掃のために連通部を上方搬送部及び前方搬送部から取り外すと、同時に検出手段を上方搬送部及び前方搬送部から離すことができる。これによって、清掃時に、検出手段に水がかかることが防止され、水による検出手段の故障が防止される。
【図面の簡単な説明】
【００１９】
【図１】本発明の実施の形態に係る汎用型コンバインを示す側面図。
【図２】上記汎用型コンバインを示す平面図。
【図３】本発明の実施の形態に係る脱穀部及び選別部を示す左側面図。
【図４】上記脱穀選別部及び還元搬送部を示す右側面図。
【図５】上記脱穀選別部及び還元搬送部を示す平面図。
【図６】本発明の実施の形態に係るカバー部が取り外された状態の還元搬送部を示す平面図。
【図７】本発明の実施の形態に係る連通部が取り外された状態の還元搬送部を示す平面図。
【図８】本発明の実施の形態に係る前方搬送部及び連通部を示す斜視図で、（Ａ）は、切替蓋が取り付けられた状態の前方搬送部を示す図、（Ｂ）は、切替蓋が取り外された状態の前方搬送部を示す図。
【図９】上記脱穀選別部及び還元搬送部を示す斜視図で、（Ａ）は、カバー部が取り付けられた状態の還元搬送部を示す図、（Ｂ）は、カバー部が取り外された状態の還元搬送部を示す図。
【図１０】上記連通部が取り外された状態の還元搬送部を示す斜視図。
【図１１】一部変更した他の実施の形態に係る還元搬送部を示す斜視図で、（Ａ）は、ガイド部を覆う開放自在なカバー部が前面及び左面から構成された還元搬送部を示す図、（Ｂ）は、ガイド部を覆う開放自在なカバー部が上面から構成された還元搬送部を示す図。
【図１２】一部変更した他の実施の形態に係り、ガイド部を覆う開放自在なカバー部が左面及び上面から構成された還元搬送部を示す斜視図。
【発明を実施するための形態】
【００２０】
以下、図面に沿って、本発明の実施の形態について説明する。コンバインの一種である汎用型コンバイン１は、図１及び図２に示すように、左右一対のクローラ走行装置２に支持された走行機体３と、走行機体３の前方に昇降自在に支持された前処理部５と、を備える。
【００２１】
走行機体３の左部には、前処理部５が刈り取った穀稈を脱穀する脱穀部６（図３参照）と、脱穀部６の下方に配置され、脱穀部６において脱穀された処理物を穀粒と藁屑とに選別する選別部７（図３参照）と、を有する脱穀選別部９が配置される。脱穀選別部９の前方には、作業者が脱穀選別部９の上にあがるためのはしご１０が配置され、脱穀選別部９の後方には、選別部７において選別された藁屑を機外に排出する排藁処理部１１が配置される。走行機体３の右部には、前方から順に操縦者が搭乗する運転操作部１２と、選別部７において選別された穀粒を貯留するグレンタンク１３と、が配置されており、グレンタンク１３の後部には、グレンタンク１３に貯留された穀粒を機外に排出する排出オーガ１５が接続されている。
【００２２】
前処理部５は、圃場の穀稈を分草するデバイダ１６を前方に有しており、デバイダ１６の上方には、複数のタインが取り付けられた掻込リール１７が設けられている。掻込リール１７の後方には、不図示の刈刃によって刈り取られた穀稈を左方に搬送するプラットホームオーガ１９が進行方向と直行する横向きの状態で配設されており、プラットホームオーガ１９の後方には、プラットホームオーガ１９によって搬送された穀稈を脱穀部６まで搬送する搬送フィーダ２０が設けられている。
【００２３】
脱穀部６は、図３に示すように、搬送フィーダ２０から搬送されてきた穀稈が投入される扱室２１を有し、その扱室２１の内部には、前後方向に延びる円筒形状の扱胴２２が回転可能に支持される。前後方向に延びる扱胴２２の外周面には、前後方向に延びるラセン形状の扱歯２３が形成され、扱胴２２の前端部には、搬送フィーダ２０から搬送されてきた穀稈を扱室２１の奥に掻き込むためにラセン形状のラセン羽根２５が形成されている。扱胴２２の下方には、扱胴２２下部の外周面に沿って、正面視にて円弧形状に形成された受網２６が取り外し可能に配置される。扱胴２２が回転することによって、扱歯２３が穀稈から穀粒を扱ぎ落として脱穀する。脱穀された穀粒及び藁屑が混在する処理物は、受網２６によって篩にかけられ、荒く選別される。
【００２４】
選別部７には、受網２６から落ちてきた処理物を更に細かく選別する揺動選別装置２７が取り外し可能に配置されている。揺動選別装置２７の下方には、前方から順に、揺動選別装置２７による選別に用いる選別風を発生させる唐箕ファン２９と、左右方向に延びるラセン形状に形成された１番ラセン３０と、１番ラセン３０と並行に延びる２番ラセン３１と、が配置される。揺動選別装置２７によって選別された穀粒は、１番ラセン３０が底に配置される谷形状の溝に落ち、回転する１番ラセン３０によって右方向に搬送される。また、揺動選別装置２７によって選別された藁屑は、上述したように、排藁処理部１１に搬送される。そして、揺動選別装置２７によって選別できなかった処理物は、２番ラセン３１が底に配置される谷形状の溝に落ち、回転する２番ラセン３１によって右方向に搬送される。また、１番ラセン３０及び２番ラセン３１の下方には、機外に連通する不図示の開口部と、開口部を覆う着脱自在な蓋部とが設けられている。
【００２５】
脱穀選別部９とグレンタンク１３との間には、図４及び図５に示すように、１番ラセン３０から搬送された穀粒を上方に搬送する１番揚穀コンベア３２と、１番揚穀コンベア３２を覆う１番揚穀コンベアケース３３と、が配置される。１番ラセン３０によって１番揚穀コンベアケース３３の下部に搬送された穀粒は、１番揚穀コンベア３２によって１番揚穀コンベアケース３３の上部に搬送される。１番揚穀コンベアケース３３の上部には、右方に延びるラセン形状の搬送ラセン３５が配置されており、１番揚穀コンベアケース３３の上部に搬送された穀粒は、回転する搬送ラセン３５によって右方のグレンタンク１３に投入される。
【００２６】
また、脱穀選別部９とグレンタンク１３との間には、２番ラセン３１から搬送された処理物を扱室２１又は選別部７に戻すための還元搬送部３６が配置されている。還元搬送部３６は、図４、図６及び図７に示すように、１番揚穀コンベアケース３３の後方に配置された上方搬送部３７と、１番揚穀コンベアケース３３と上方搬送部３７との間に配置され、上方搬送部３７の上部前方に連結される連通部３９と、連通部３９の下部に連結され、連通部３９に連結された箇所から１番揚穀コンベアケース３３の左を通って前方に延びる前方搬送部４０と、を有する。
【００２７】
上方搬送部３７は、２番ラセン３１から搬送された処理物を上方に搬送する２番揚穀コンベア４１と、２番揚穀コンベア４１の側方及び下方を覆う２番揚穀コンベアケース４２と、を有する。２番揚穀コンベアケース４２の下面は、着脱可能に固定されており、２番揚穀コンベアケース４２内部の下端は、２番揚穀コンベアケース４２の下面が取り外されることによって機外に連通する。２番揚穀コンベアケース４２には、２番揚穀コンベア４１を上方から目視可能な開口部４３が上部に形成されていると共に、２番揚穀コンベアケース４２の前面において、上端から下方に向かって切り欠かれて形成された開口部４５（図９（Ｂ）参照）が設けられている。２番ラセン３１によって２番揚穀コンベアケース４２の下部に搬送された穀粒は、２番揚穀コンベア４１によって２番揚穀コンベアケース４２の上部に搬送され、開口部４５から上方搬送部３７に連結される連通部３９に送り出される。
【００２８】
前方搬送部４０は、図４、図６及び図７に示すように、連通部３９の下方から前方に延びるラセン形状の２番還元ラセン４６と、２番還元ラセン４６の側方及び下方を覆う２番還元ラセンケース４７と、を有する。２番還元ラセンケース４７の上部には、図６及び図７に示すように、前端から後端にかけて開口した開口部４９が形成されている。開口部４９の前方一部は、図５に示すように、長方形形状の上方カバー部（第２の上方カバー部分）５０によって覆われており、上方カバー部５０は、ノブボルトによって着脱自在に固定されている。
【００２９】
２番還元ラセンケース４７の底面において、連通部３９の下方に位置する箇所には、図６及び図７に示すように、機外に連通する開口である排出口（開口部）５１が形成されていると共に、排出口５１を覆う着脱自在な蓋部５２が固定されている。２番還元ラセンケース４７の前部には、図８（Ａ）に示すように、底面及び左側面が切り欠かれて形成された開口部５３が設けられており、開口部５３は、扱室２１の前部に連通する。また、２番還元ラセンケース４７において、開口部５３よりも後方の位置には、底面及び右側面が切り欠かれて形成された開口部５５が設けられており、開口部５５は、選別部７に連通する。そして、２番還元ラセンケース４７は、正面視において、略Ｌ字形状に形成された切替蓋５６を有し、切替蓋５６は、着脱自在に開口部５５の下部を覆って固定される。上方搬送部３７の上部から送り出された処理物は、連通部３９を通って、２番還元ラセンケース４７の後部に投入され、回転する２番還元ラセン４６によって前方に搬送される。２番還元ラセンケース４７の前部に搬送される処理物は、切替蓋５６の上を通過し、開口部５３に搬送され、開口部５３から扱室２１に投入される。また、本実施の形態の汎用型コンバイン１は、還元搬送部３６の処理物を再度脱穀せずに選別を行う場合、図８（Ｂ）に示すように、切替蓋５６が取り外されることによって、処理物が開口部５３に到達する前に開口部５５から選別部７に投入されるように構成されている。
【００３０】
連通部３９は、図９（Ａ）及び図９（Ｂ）に示すように、２番揚穀コンベアケース４２の右側面に面一に当接する平面形状の面部５８と、面部５８の下端から左下方に延びて２番還元ラセンケース４７の右側面に接続されるスロープ面５９と、から形成されるガイド部５７を有する。面部５８の上端は、２番揚穀コンベアケース４２の上端と同じ高さに配置され、面部５８の下端は、開口部４５よりも低い位置に配置され、スロープ面５９は、開口部４５より下方に配置される。ガイド部５７は、１番揚穀コンベアケース３３と２番揚穀コンベアケース４２との間に配置されており、後端が２番揚穀コンベアケース４２の前面に当接し、２番揚穀コンベアケース４２及び２番還元ラセンケース４７に着脱可能に固定される。ガイド部５７は、上部に送られた処理物や液体をスロープ面５９によって下方に流す樋の構造になっており、２番揚穀コンベアケース４２から送られてきた処理物は、スロープ面５９の斜面による樋の作用によって２番還元ラセンケース４７に案内される。
【００３１】
また、連通部３９は、ガイド部５７の上方及び側方を覆うカバー部６０及びカバー部６３を有する。カバー部６０は、ガイド部５７の上方の一部と開口部４３とを覆う上方カバー部（第１の上方カバー部分、第３の上方カバー部分）６１と、ガイド部５７の前方及び左方と開口部４９の一部の上方とを覆う左面６５、前面６６及び上面６７から構成される側方カバー部６２と、を有し、カバー部６３は、側方カバー部６２の後方に配置される。側方カバー部６２の左面６５は、ガイド部５７に対向する位置に配置される面であり、２番還元ラセンケース４７の後部左面の上部にノブボルトによって着脱自在に固定され、２番還元ラセンケース４７の後部左面の上部から上方に向かって延びる面形状に形成されている。前面６６は、左面６５の前端から右方に延びる面であり、前面６６の右辺がガイド部５７の前部に着脱自在に固定される。上面６７は、左面６５及び前面６６の上端に固定され、平面視において、開口部４９のうち上方カバー部５０によって覆われない残りの部分とガイド部５７の上方の一部とを覆う位置に配置されており、開口部４９は、平面視において、上面６７及び上方カバー部５０によって覆われる。左面６５が２番還元ラセンケース４７に着脱自在に固定され、前面６６がガイド部５７に着脱自在に固定されているため、側方カバー部６２は、ガイド部５７に対して開放自在に設けられている。
【００３２】
上方カバー部６１は、平面視において、ガイド部５７の一部を覆う上方カバー前部（第３の上方カバー部分）６１Ａと開口部４３を覆う上方カバー後部（第１の上方カバー部分）６１Ｂとが一体に構成された長方形形状のプレートであり、ガイド部５７及び上面６７にノブボルトによって着脱自在に固定される。また、カバー部６３は、前面６６に対向し、左面６５及び２番揚穀コンベアケース４２の左面に挟まれた位置に配置された面であり、２番揚穀コンベアケース４２、２番還元ラセンケース４７及び側方カバー部６２に対して着脱自在に固定される。したがって、図７及び図１０に示すように、カバー部６３が２番揚穀コンベアケース４２及び２番還元ラセンケース４７から取り外され、側方カバー部６２が２番還元ラセンケース４７から取り外され、ガイド部５７が２番揚穀コンベアケース４２及び２番還元ラセンケース４７から取り外されることによって、連通部３９は、上方搬送部３７及び前方搬送部４０から取り外されることが可能である。連通部３９が配置されていた空間の下方には、機体の部品が配置されておらず、地面となっている。
【００３３】
また、図６及び図９（Ｂ）に示すように、ガイド部５７が２番揚穀コンベアケース４２及び２番還元ラセンケース４７に固定されたまま、側方カバー部６２が２番還元ラセンケース４７及びガイド部５７から取り外された場合には、ガイド部５７の上方の一部及び側方が外部に開放され、上方カバー部６１がガイド部５７及び側方カバー部６２から取り外された場合には、ガイド部５７の上方の一部が外部に開放される。
【００３４】
側方カバー部６２の左面６５には、左面６５の内側から一定以上の圧力が加わった場合に、その圧力を検出する検出手段であり、その圧力によって還元搬送部３６内部が処理物等によって詰まったことを検出する詰りセンサ６９が固定されている。
【００３５】
本実施の形態は、以上のような構成からなるので、作業者は、はしごをつたって脱穀選別部９の上にのぼり、還元搬送部３６の清掃を行うことができる。
【００３６】
作業者は、上方搬送部３７及び連通部３９を清掃する場合、上方カバー部５０、上方カバー部６１及び側方カバー部６２のうち、側方カバー部６２を取り外すことで、ガイド部５７が外部に現れ、ガイド部５７の上部から水を流すことができる。これによって、水がガイド部５７の上部から下部に向かって流れ、作業者は、ガイド部５７を効率良く清掃することができ、清掃の効率を向上させることができる。また、側方カバー部６２が外された箇所から開口部４５に向かって水を注ぐことによって、第２揚穀コンベアケース４２の内部に水を送り込むことができ、第２揚穀コンベアケース４２の内部を清掃することができる。そして、第２揚穀コンベアケース４２の内部に供給された水は、第２揚穀コンベアケース４２に詰まっていたり、溜まっている処理物と共に開口部４５から溢流し、ガイド部５７と、ガイド部５７を介して２番還元ラセンケース４７の内部と、に流出する。これにより、作業者は、上方搬送部３７から前方搬送部４０まで連続して水を流して上方搬送部３７と共にガイド部５７及び前方搬送部４０をまとめて清掃することができ、清掃の作業性を向上し、清掃時間を短縮することができる。
【００３７】
上方搬送部３７から前方搬送部４０に流れてきた処理物は、開口部５３から扱室２１に送られる。受網２６及び揺動選別装置２７は、取り外し可能に配置されており、作業者は、清掃前に受網２６及び揺動選別装置２７を取り外すことによって、処理物が受網２６及び揺動選別装置２７にひっかかることなく、処理物を１番ラセン３０及び２番ラセン３１に流すことができる。１番ラセン３０及び２番ラセン３１に流された処理物は、１番ラセン３０及び２番ラセン３１の下方に設けられた開口部から機外に排出される。第２揚穀コンベアケース４２の内部、第２還元ラセンケース４７の内部及びガイド部５７の処理物等が多い場合、作業者は、切替蓋５６を取り外して清掃することによって、処理物を開口部５５から選別部７に排出し、処理物が開口部５５より前方に流される虞を低減することができる。これによって、前方搬送部４０において、上方搬送部３７及びガイド部５７から流されてきた処理物が付着する範囲が縮小され、清掃する範囲が広がる虞が低減される。
【００３８】
２番揚穀コンベアケース４２の下面が着脱可能に固定されているため、作業者は、第２揚穀コンベアケース４２の下面を取り外すことによって、清掃の際に、第２揚穀コンベアケース４２の処理物を第２揚穀コンベアケース４２の下端から機外に排出することができる。これによって、第２揚穀コンベアケース４２の処理物等が選別部７に流れ込むことを防ぐことができる。また、２番還元ラセンケース４７の後部の底面には、機外に連通する開口である排出口５１が設けられているため、作業者は、排出口５１を覆う蓋部５２を取り外して清掃を行うことによって、第２揚穀コンベアケース４２の内部及びガイド部５７の処理物が第２還元ラセンケース４７を通って扱室２１又は選別部７に流れ込むことを防ぐことができる。そして、作業者は、扱室２１及び選別部７もまとめて清掃したいか否かに応じて、清掃水が流れ込む先を切り替えることができるので、清掃の作業性を向上させることができる。
【００３９】
作業者は、上方カバー部５０、上方カバー部６１及び側方カバー部６２のうち、上方カバー部６１を取り外すことで、開口部４３及びガイド部５７の上方の一部が外部に現れ、上方カバー部６１が取り外された箇所から第２揚穀コンベアケース４２の内部及びガイド部５７に水を送り込み、清掃することができる。また、側方カバー部６２を２番還元ラセンケース４７に固定したまま清掃することができるので、側方カバー部６２によって水が２番還元ラセンケース４７よりも左方に流れて、水が還元搬送部３６からあふれる虞を低減する。さらに、水があふれる虞が低減されるため、作業者は、多くの水を還元搬送部３６の内部に流すことができ、水による清掃の効率を向上させることができる。
【００４０】
作業者は、上方カバー部５０、上方カバー部６１及び側方カバー部６２を取り外すことで、図９（Ｂ）に示すように、開口部４３、開口部４９及びガイド部５７が現れ、第２揚穀コンベアケース４２の内部、第２還元ラセンケース４７の内部及びガイド部５７の処理物等による詰りを目視確認することができる。また、容易に第２揚穀コンベアケース４２の内部、第２還元ラセンケース４７の内部及びガイド部５７の清掃を容易に行うことができ、清掃の作業性を向上させることができる。
【００４１】
上述のように、清掃の作業性が向上されるため、清掃前と異なる穀物の脱穀選別が清掃後に行われる際、還元搬送部３６の内部に清掃前の穀物の処理物等が残る虞が低減され、選別された穀粒の中に他の穀物の穀粒が含まれる虞が低減される。
【００４２】
また、詰りセンサ６９が側方カバー部６２を有するカバー部６０に固定されているので、作業者は、清掃のためにカバー部６０をガイド部５７から取り外すと、同時に詰りセンサ６９をガイド部５７から離すことができる。これによって、清掃時に、詰りセンサ６９に水がかかることを防ぎ、水による詰りセンサ６９の故障を防ぐことができる。
【００４３】
さらに、作業者は、上方搬送部３７を清掃する場合、図１０に示すように、連通部３９を取り外すことで、開口部４５が外部に現れ、開口部４５から水を注ぐことによって、第２揚穀コンベアケース４２の内部を清掃することができる。
【００４４】
清掃の際に第２揚穀コンベアケース４２の処理物は、第２揚穀コンベアケース４２の上部から清掃水と共に溢流し、第２揚穀コンベアケース４２と第２還元ラセンケース４７と１番揚穀コンベアケース３３とに囲まれた空間に送り出され、地面に排出される。例えば、第２還元ラセンケース４７が汚れておらず、第２揚穀コンベアケース４２のみ清掃したい場合、作業者は、連通部３９が第２揚穀コンベアケース４２及び第２還元ラセンケース４７に接続された状態で清掃を行ってしまうと、第２揚穀コンベアケース４２の処理物を第２還元ラセンケース４７に流してしまい、第２還元ラセンケース４７も清掃する必要を生じさせてしまう虞がある。しかし、連通部３９が取り外されることによって、第２揚穀コンベアケース４２の内部の清掃時に、第２揚穀コンベアケース４２の処理物が第２還元ラセンケース４７に流れ込みの防止が図られ、第２還元ラセンケース４７が第２揚穀コンベアケース４２の清掃によって汚れる虞が低減されるため、清掃の作業性が向上される。これによって、清掃前と異なる穀物の脱穀選別が清掃後に行われる際、還元搬送部３６の内部に清掃前の穀物の処理物等が清掃後に残る虞が低減され、選別された穀粒の中に他の穀物の穀粒が含まれる虞が低減される。
【００４５】
作業者は、清掃のために連通部３９を第２揚穀コンベアケース４２及び第２還元ラセンケース４７から取り外すと、同時に詰りセンサ６９を第２揚穀コンベアケース４２及び第２還元ラセンケース４７から離すことができる。これによって、第２揚穀コンベアケース４２及び第２還元ラセンケース４７の清掃時に、詰りセンサ６９に水がかかることを防ぎ、水による詰りセンサ６９の故障を防ぐことができる。
【００４６】
上述のように、作業者は、ガイド部５７を残した状態で、カバー部６０を取り外すことによって上方搬送部３７及びガイド部５７をまとめて清掃することが可能であり、ガイド部５７を含めた連通部３９を取り外すことによって上方搬送部３７の処理物が前方搬送部４０に送られることを防ぎ、上方搬送部３７のみを清掃することができる。したがって、作業者は、還元搬送部３６のうち取り外す箇所を変えることによって、上方搬送部３７及びガイド部５７をまとめて清掃することができると共に、上方搬送部３７のみを清掃することができ、清掃したい箇所に応じた清掃を行うことができ、清掃の作業性を向上させることができる。
【００４７】
また、作業者は、上方カバー部５０、上方カバー部６１、側方カバー部６２を取り外すことによって、第２揚穀コンベアケース４２の内部、第２還元ラセンケース４７の内部及びガイド部５７の風圧による清掃も行いやすくなり、清掃の作業性を向上させることができる。
【００４８】
なお、本実施の形態において、上方カバー部６１及び側方カバー部６２は、取り外し可能に構成されているが、これに限らず、ヒンジによってガイド部５７を開閉自在に覆うように構成されていてもよい。
【００４９】
また、本実施の形態において、連通部３９は、左面６５、前面６６及び上面６７から構成される側方カバー部６２が開放自在にガイド部５７の側方の一部を覆うように構成されているが、これに限らず、図１１（Ａ）に示すように、上面６７がカバー部６３に固定され、左面６５及び前面６６から構成される側方カバー部６２Ａが開放自在にガイド部５７の一部を覆うように構成されていてもよい。作業者は、側方カバー部６２Ａを取り外すことによって、ガイド部５７の左前方から水をガイド部５７に水をかけることができる。これによって、作業者は、清掃作業を行うための位置に移動する距離が短くなり、清掃を行いやすくなる。
【００５０】
また、図１１（Ｂ）に示すように、連通部３９は、左面６５及び前面６６が２番還元ラセンケース４７に固定され、上方カバー部６１とは別に上面６７から構成される上方カバー部６１Ｃが開放自在にガイド部５７の上方の一部を覆うように構成されていてもよい。作業者は、上方カバー部６１Ｃを取り外すことによって、清掃の際、水がガイド部５７の側方からあふれる虞を低減する。
【００５１】
また、図１２に示すように、連通部３９は、前面６６が２番還元ラセンケース４７に固定され、左面６５及び上面６７から構成される側方カバー部６２Ｂが開放自在にガイド部５７の側方の一部を覆うように構成されていてもよい。作業者は、側方カバー部６２Ｂを取り外すことによって、ガイド部５７に対して垂直に水を当てることができる。これによって、ガイド部５７にあてる水が分散されにくく、ガイド部５７に付着した処理物が水によってガイド部５７からはがれて流れやすくなり、清掃の作業性が向上される。上述のように、側方カバー部６２，６２Ａ，６２Ｂは、ガイド部５７の側方の少なくとも一部を覆うように構成され、上方カバー部６１，６１Ｃは、ガイド部５７の上方の少なくとも一部を覆うように構成されている。加えて、連通部３９が２番揚穀コンベアケース４２の後方に配置される場合に、連通部３９は、ガイド部５７の後方を開放自在に覆うカバー部を有するように構成されていてもよい。
【００５２】
また、還元搬送部３６は、ガイド部５７と、上方カバー部６１と、が取り外し可能に構成されていてもよい。作業者は、上方搬送部３７を清掃する際にガイド部５７及び上方カバー部６１を取り外すことによって、上方搬送部３７の上方から水を注ぐことができると共に、上方搬送部３７の上部から清掃水と共に溢流する処理物を地面に排出することができる。これによって、作業者は、連通部３９自体を外すことなく、上方搬送部３７のみを清掃することできる。
【００５３】
また、カバー部６０は、上方カバー前部６１Ａと上方カバー後部６１Ｂとが一体に構成された上方カバー部６１を有するように構成されているが、これに限らず、上方カバー前部６１Ａと上方カバー後部６１Ｂとがそれぞれ別々に構成されてもよい。
【００５４】
また、本実施の形態は、汎用型コンバインについて説明したが、自脱型コンバインにも適用可能である。
【符号の説明】
【００５５】
１      コンバイン（汎用型コンバイン）
９      脱穀選別部
３６    還元搬送部
３７    上方搬送部
３９    連通部
４０    前方搬送部
５０    第２の上方カバー部分（上方カバー部）
５７    ガイド部
６１Ａ  第３の上方カバー部分（上方カバー前部）
６１Ｂ  第１の上方カバー部分（上方カバー後部）
６９    検出手段（詰りセンサ）
【図１】
0006647896.tif 000002
【図２】
0006647896.tif 000003
【図３】
0006647896.tif 000004
【図４】
0006647896.tif 000005
【図５】
0006647896.tif 000006
【図６】
0006647896.tif 000007
【図７】
0006647896.tif 000008
【図８】
0006647896.tif 000009
【図９】
0006647896.tif 000010
【図１０】
0006647896.tif 000011
【図１１】
0006647896.tif 000012
【図１２】
0006647896.tif 000013